(57)【要約】      （修正有）【課題】厚みがある被加工物をその厚さに応じて確実に保持して位置を固定することができるワイヤ放電加工用治具を提供する。【解決手段】ワイヤ放電加工用治具１００は、被加工物を載置面９ａとの間に挟持する保持部２１と、保持部２１を支持する支持部１０と、支持部１０の傾斜角度を調整する基台部３０とを備え、支持部２１は、支柱１３と、支柱１３に着脱自在に連結可能である連結部材１２，１４，１５とを有し、連結部材１２，１４，１５が支柱１３に対して連結又は取り外しされることにより、保持部２１の高さが変更される。【選択図】図２
0003198290.tif 000002
【実用新案登録請求の範囲】
【請求項１】
載置面に載置される被加工物を前記載置面との間に挟持する保持部と、
前記保持部を支持する支持部と、
前記支持部の傾斜角度を調整する角度調整部とを備え、
前記支持部は、少なくとも１つの支柱と、前記支柱に着脱自在に連結可能である連結部材とを有し、
前記連結部材が前記支柱に対して前記支柱の延長方向に連結又は取り外しされることにより、前記載置面に対する前記保持部の高さが変更されるワイヤ放電加工用治具。
【請求項２】
前記連結部材は前記支柱の各々に対して複数設けられ、
前記複数の連結部材が前記支柱に対して前記支柱の前記延長方向に、各々、連結又は取り外しされることにより、前記保持部の前記高さが変更される請求項１に記載のワイヤ放電加工用治具。
【請求項３】
前記角度調整部は前記支持部の下部に固定される請求項１又は２に記載のワイヤ放電加工用治具。
【請求項４】
前記支持部に固定される補強部材をさらに備え、
前記補強部材は、前記支持部において、前記角度調整部が固定される部位とは異なる高さの部位に固定される請求項３に記載のワイヤ放電加工用治具。
【請求項５】
前記支持部の前記支柱は複数設けられ、
前記角度調整部は、前記支柱同士の間隔を変化させる支持部位置調整機構を有する請求項１〜４のいずれか一項に記載のワイヤ放電加工用治具。
【請求項６】
前記支持部の上には保持部位置調整部が設けられ、
前記保持部は、前記保持部位置調整部に取り付けられ、
前記保持部位置調整部は、前記保持部を前記支柱の前記延長方向に沿って移動させることにより前記保持部の前記高さを変更する請求項１〜５のいずれか一項に記載のワイヤ放電加工用治具。
【請求項７】
前記保持部及び前記保持部位置調整部はネジ機構を有し、
前記保持部は前記ネジ機構によって前記支柱の前記延長方向に沿って移動可能である請求項６に記載のワイヤ放電加工用治具。
【請求項８】
前記保持部は、前記保持部位置調整部に取り付けられた状態で、前記被加工物の上方側に回転可能である請求項６又は７に記載のワイヤ放電加工用治具。
【考案の詳細な説明】
【技術分野】
【０００１】
この考案は、ワイヤ放電加工によって加工される被加工物を固定するためのワイヤ放電加工用治具に関する。
【背景技術】
【０００２】
特許文献１には、被加工物である板材を支持台に固定するのに用いられるレベル調整治具が記載されている。レベル調整治具はベース部材と、ベース部材の上に取り付けられ、板材受け具と板材押え具との間に板材を保持する保持部とを有する。さらに、レベル調整治具は、ベース部材及び保持部を貫通する第一の螺子と、保持部を貫通するとともに先端がベース部材に当接する第二の螺子とを有する。そして、第一の螺子と第二の螺子とを各々締め込み、又は緩めることにより、支持台に対する板材の角度を変更することができる。また、保持部には、先端部が上から板材に当接する第四の螺子が設けられており、第四の螺子を締め込み、又は緩めることにより、保持する板材の厚さに応じて螺子の先端の位置が変更される。
【先行技術文献】
【特許文献】
【０００３】
【特許文献１】特開２０１３−１５４４０８号公報
【考案の概要】
【考案が解決しようとする課題】
【０００４】
しかしながら、特許文献１のレベル調整治具では、被加工物の厚さが保持部の板材受け具と板材押え具との間の長さを越えた場合は、被加工物を保持することができないという問題があった。
【０００５】
この考案は、このような問題を解決するためになされ、様々な厚みがある被加工物をその厚さに応じて確実に保持して位置を固定することができるワイヤ放電加工用治具を提供することを目的とする。
【課題を解決するための手段】
【０００６】
上記の課題を解決するために、この考案に係るワイヤ放電加工用治具は、載置面に載置される被加工物を載置面との間に挟持する保持部と、保持部を支持する支持部と、支持部の傾斜角度を調整する角度調整部とを備え、支持部は、少なくとも１つの支柱と、支柱に着脱自在に連結可能である連結部材とを有し、連結部材が支柱に対して支柱の延長方向に連結又は取り外しされることにより、載置面に対する保持部の高さが変更される。
【０００７】
また、この考案に係るワイヤ放電加工用治具の連結部材は支柱の各々に対して複数設けられ、複数の連結部材が支柱に対して支柱の延長方向に、各々、連結又は取り外しされることにより、保持部の高さが変更されてもよい。
【０００８】
また、角度調整部は支持部の下部に固定されてもよい。
また、ワイヤ放電加工用治具は、支持部に固定される補強部材をさらに備え、補強部材は、支持部において、角度調整部が固定される部位とは異なる高さの部位に固定されてもよい。
【０００９】
また、支持部の前記支柱は複数設けられ、角度調整部は、支柱同士の間隔を変化させる支持部位置調整機構を有してもよい。
【００１０】
また、支持部の上には保持部位置調整部が設けられ、保持部は、保持部位置調整部に取り付けられ、保持部位置調整部は、保持部を支柱の延長方向に沿って移動させることにより保持部の高さを変更してもよい。
さらに、保持部及び保持部位置調整部はネジ機構を有し、保持部はネジ機構によって支柱の延長方向に沿って移動可能であってもよい。
【００１１】
また、保持部は、保持部位置調整部に取り付けられた状態で、被加工物の上方側に回転可能であってもよい。
【考案の効果】
【００１２】
この考案に係るワイヤ放電加工用治具によれば、様々な厚みがある被加工物をその厚さに応じて確実に保持して位置を固定することができる。
【図面の簡単な説明】
【００１３】
【図１】この考案の実施の形態に係るワイヤ放電加工用治具の斜視図である。
【図２】図１に示すワイヤ放電加工用治具の支持部の支柱と連結部材との組み合わせを変えた例を示す斜視図である。
【図３】図２に示すワイヤ放電加工用治具に被加工物が挟持される様子を示す斜視図である。
【図４】図１に示すワイヤ放電加工用治具の平面図である。
【図５】図５（Ａ）は、図１に示すワイヤ放電加工用治具を切断線Ｖ−Ｖに沿って切断した断面図であり、図５（Ｂ）は図５（Ａ）に示す支持部の位置を移動させた様子を示す断面図である。
【図６】図６（Ａ）は、この考案の実施の形態に係るワイヤ放電加工用治具の支持部として第一支柱を用いた例を示す背面図であり、図６（Ｂ）は、支持部として第二支柱が用いられた上で補強部材が第二支柱に固定された例を示す背面図である。
【図７】図６（Ｂ）に示す補強部材の斜視図である。
【図８】図８（Ａ）〜（Ｄ）は、各々、支持部の支柱と連結部材との組み合わせを変更することにより、図１に示すワイヤ放電加工用治具の保持部の高さが調整される様子を模式的に示す断面側面図である。
【考案を実施するための形態】
【００１４】
以下、この考案の実施の形態について添付図面に基づいて説明する。
まず、図１に示すように、ワイヤ放電加工用治具１００は、鉛直方向に起立する支持部１０と、支持部１０の上に固定される被加工物把持部２０と、支持部１０の下部に固定される基台部３０とを備える。
ここで、基台部３０は角度調整部を構成する。
【００１５】
図１において、支持部１０は、一対の略円柱形状の第一支柱１１と、各々の第一支柱１１の上に連結され、第一支柱１１よりも長い略円柱形状の第一連結部材１２と、各々の第一支柱１１の底面に取り付けられる略三角形状の板状の支柱台９とを有する。ここで、支持部１０は、例えば図２に示すように、支柱台９に第一支柱１１よりも長い第二支柱１３を取付け、その上に、第一連結部材１２と、第一連結部材１２よりも短い第二連結部材１４と、第二連結部材１４よりも短い第三連結部材１５を連結させた構成にすることもできる。すなわち、支持部１０は、支柱台９の上に設けられる第一支柱１１や第二支柱１３等の各種の支柱に、複数種類の長さの連結部材が着脱可能に連結されて構成される。
なお、支柱台９の上面は、被加工物を載置するための載置面９ａを構成する。
また、以下の説明において、第一支柱１１又は第二支柱１３が延びる方向を方向Ａとする。
【００１６】
また、図１又は図２を参照すると、被加工物把持部２０は、一対の第一連結部材１２又は第三連結部材１５の上に架け渡されて固定される支持板２２と、支持板２２に取り付けられ、延長方向に起立して延びる一対の第一保持部調整ネジ２４とを有する。なお、第一保持部調整ネジ２４には第一ナット２４ａが取り付けられている。さらに、第一保持部調整ネジ２４は第二ナット２５を介して支持板２２に回転可能に設けられる。また、第一保持部調整ネジ２４は略直方体形状の保持部２１に接続する。具体的には、保持部２１に形成される第一開口２１ａに、第一開口２１ａよりも径の小さい第一保持部調整ネジ２４が貫通する。なお、保持部２１は第一保持部調整ネジ２４に対して、第一ナット２４ａと第二ナット２５との間に位置するように接続されている。そのため、保持部２１は第一保持部調整ネジ２４が延びる方向Ａに沿って上下に移動することができる。さらに保持部２１には第二開口２１ｂも形成される。なお、第二開口２１ｂにはネジ山が形成されている。そして、第二開口２１ｂには、第一保持部調整ネジ２４と平行に延びる第二保持部調整ネジ２３が挿入され、第二開口２１ｂのネジ山に係合する。そして、第二保持部調整ネジ２３の頭部２３ａは支持板２２に当接し、保持部２１は支持板２２に対して第二保持部調整ネジ２３によって支持される。
ここで、第一保持部調整ネジ２４及び第二保持部調整ネジ２３は、保持部位置調整部を構成する。さらに、保持部２１の第二開口２１ｂ及び第二保持部調整ネジ２３はネジ機構を構成する。
【００１７】
従って、支持板２２に対する保持部２１の高さを調整する時は、第二保持部調整ネジ２３を保持部２１の第二開口２１ｂに対して回転させ、第二開口２１ｂの下方に突出する第二保持部調整ネジ２３の長さを調整する。これにより、保持部２１は方向Ａに沿って移動し、支持板２２に対する保持部２１の高さが適宜変更される。また、支持板２２に対する保持部２１の高さが決定されると、保持部２１は第二保持部調整ネジ２３によって支持板２２に対して支持される。そして次に、第一保持部調整ネジ２４の第一ナット２４ａが回転させられ、第一ナット２４ａは保持部２１に当接する位置まで低下して、保持部２１に対して上から押さえるように負荷を加える。これにより、図３に示すように、保持部２１は支柱台９の載置面９ａとの間に挟持される被加工物１を上から押さえつけて保持し、位置を固定させる。また、図４の二点鎖線２１’に示すように、保持部２１は第二保持部調整ネジ２３によって支持されつつ、第一保持部調整ネジ２４を支点として水平方向に回転移動可能である。すなわち、保持部２１は、第一保持部調整ネジ２４及び第二保持部調整ネジ２３に取り付けられた状態で、被加工物１の上方側に回転することができる。
【００１８】
さらに、図１〜３、５及び図６を参照すると、基台部３０は、加工機に締結される略直方体の板状のベース板４と、ベース板４の上に載せられて取り付けられ、断面が略Ｌ字形状である角度調整部材３とを有する。角度調整部材３の両側には、一対の略台形形状の板状の張出部３ａが形成されている。さらに、角度調整部材３は、ベース板４に対向するベース取付部３ｂと、ベース取付部３ｂに対してほぼ直角に配置されるとともに支持部１０に接続する支持部取付部３ｃとを有する。また、図１及び図５に示すように、角度調整部材３の支持部取付部３ｃには、支持部１０の一対の第一支柱１１が嵌合し得る３個の溝３３ａ,３３ｂ,３３ｃが形成される。なお、溝３３ａと溝３３ｂとは互いに隣接して設けられており、溝３３ａと溝３３ｂとの間隔は溝３３ｂと溝３３ｃとの間隔よりも短くなるように形成されている。従って、支持部１０の一対の第一支柱１１のうち一方は溝３３ａ又は溝３３ｂのどちらにも嵌り込むことができ、これにより一対の第一支柱１１の間隔を適宜変更することができる。すなわち、図５（Ａ）に示すように、一対の第一支柱１１が溝３３ａと溝３３ｃに嵌合されている時は、ワイヤ放電加工用治具１００は、直径Ｄ１の円柱部材Ｘ１から、円柱部材Ｘ１よりも小さい直径Ｄ２の円柱部材Ｘ２までの大きさの被加工物を保持することができる。一方、図５（Ｂ）に示すように、一対の第一支柱１１が溝３３ｂと溝３３ｃに嵌合されている時は、ワイヤ放電加工用治具１００は、直径Ｄ２の円柱部材Ｘ２から、円柱部材Ｘ２よりも小さい直径Ｄ３の円柱部材Ｘ３までの大きさの被加工物を保持することができる。そして、一対の支柱１１は、溝３３ａ又は溝３３ｂと溝３３ｃとに嵌めこまれた状態で、ボルト６２によって角度調整部材３の支持部取付部３ｃに固定されて取り付けられる。
ここで、角度調整部材３の支持部取付部３ｃの溝３３ａ〜３３ｃは、支持部位置調整機構を構成する。
また、溝３３ａ〜３３ｃには、第一支柱１１のみならず、一対の第二支柱１３も各々嵌合可能である。
【００１９】
また、角度調整部材３の支持部取付部３ｃの上端面には、図２、３及び図６（Ｂ）に示すように、補強部材５が接続され得る。ここで、補強部材５は、図７に示すように略直方体形状の補強部本体５１と、補強部本体５１に一体的に設けられる細長板形状の突出部５２とを有する。また、補強部本体５１の支持部１０に対向する面には、支持部１０の支柱又は連結部材が嵌合し得る３個の溝５３ａ,５３ｂ,５３ｃが形成される。これらの溝５３ａ,５３ｂ,５３ｃは、角度調整部材３の溝３３ａ,３３ｂ,３３ｃに対応する形状及び位置に形成される。また、補強部本体５１はボルト６９を介して、突出部５２はボルト６３を介して、各々、角度調整部材３に接続されている。
【００２０】
さらに、図３及び図４に示すように、角度調整部材３のベース取付部３ｂとベース板４との間には角度調整支点３１が設けられている。角度調整支点３１は、上から見て角度調整部材３のベース取付部３ｂの中央付近に位置する。そして、角度調整部材３は角度調整支点３１を介してベース板４に対して隙間を作って浮くように載せられている（図８参照）。また、角度調整支点３１を中心として、角度調整部材３のベース取付部３ｂとベース板４とを連結する３個のボルト３２が、各々、二等辺三角形の頂点をなすように配置されている。そして、３個のボルト３２を適宜締め付けたり緩めたりすることにより、各々のボルト３２が取り付けられている位置において、角度調整部材３のベース取付部３ｂとベース板４との間の間隔が調整される。これにより、角度調整部材３のベース板４に対する傾斜角度が適宜変化し、角度調整部材３の傾斜角度の変化に伴って支持部１０の傾斜角度も変化する。
【００２１】
次に、支持部１０の支柱と連結部材との組み合わせによる保持部２１の高さ調整について、図８（Ａ）〜（Ｄ）を参照して説明する。なお、図８（Ａ）から図８（Ｄ）に至るまで、支持部１０の高さは徐々に高くなり、これに伴い、被加工物把持部２０の保持部２１の位置も高くなる。
まず、図８（Ａ）は、支持部１０が支柱台９と第一支柱１１とによって構成される例である。第一支柱１１の内部には取付孔１１ａが形成されている。そして、取付孔１１ａには第二ナット２５が差し込まれる。第二ナット２５は第一支柱１１の上面との間で支持板２２を挟み込んで固定するとともに、第一保持部調整ネジ２４を支持板２２に対して回転可能となるように支持する。
【００２２】
次に、図８（Ｂ）は、支持部１０が支柱台９と、第一支柱１１よりも長い第二支柱１３とによって構成される例である。第一支柱１１と同様に、第二支柱１３の内部には取付孔１３ａが形成され、第二ナット２５が差し込まれる。また、第二支柱１３にボルト６２によって接続する角度調整部材３の上部には、図６に示すような補強部材５が連結される。補強部材５はボルト６５によって第二支柱１３に接続されている。
ここで、図８（Ａ）に示すように支持部１０が支柱台９と第一支柱１１とによって構成されている場合は、図６（Ａ）にも示すように第一支柱１１は、第一支柱１１の下部に固定される角度調整部材３によって転倒しないように支持される。一方、支持部１０の高さが第一支柱１１よりも高くなり、図８（Ｂ）に示すように支持部１０が支柱台９と第二支柱１３とによって構成されているような場合は、図６（Ｂ）に示すように第二支柱１３は角度調整部材３及び補強部材５によって支持される。
【００２３】
さらに、図８（Ｃ）は、支持部１０が支柱台９と、第二支柱１３と、第二支柱１３に連結される第三連結部材１５とによって構成される例である。第二支柱１３の取付孔１３ａには第三連結部材１５の凸部１５ａが挿入される。さらに、第三連結部材１５には取付穴１５ａが形成され、取付穴１５ａには第二ナット２５が差し込まれる。
また、図８（Ｄ）は、支持部１０が第二支柱１３と、第二支柱１３に連結される第一連結部材１２と、第二支柱１３に連結される第二連結部材１４とによって構成される例である。なお、第二連結部材１４は第一連結部材１２よりも短く、第三連結部材１５よりも長い連結部材である。第二支柱１３の取付孔１３ａには第一連結部材１２の凸部１２ａが挿入され、第一連結部材１２の取付孔１２ａには第二連結部材１４の凸部１４ａが挿入される。さらに、第二連結部材１４には取付穴１４ａが形成され、取付穴１４ａには第二ナット２５が差し込まれる。
【００２４】
以上より、この実施の形態に係るワイヤ放電加工用治具１００では、第一連結部材１２、第二連結部材１４及び第三連結部材１５が、各々、第一支柱１１又は第二支柱１３に対して方向Ａに沿って連結又は取り外しされる。これにより、被加工物の厚みに合わせて保持部２１の高さを広い範囲で調整することができる。従って、様々な厚みの被加工物を保持部２１によって確実に保持することができる。
【００２５】
また、支持部１０の傾斜角度を調整する基台部３０が支持部１０の下部に取り付けられることにより、ワイヤ放電加工用治具１００全体としての重心が低くなり、ワイヤ放電加工用治具１００の転倒が防止される。さらに、支持部１０において、基台部３０が固定される部位よりも高い部位に補強部材５が固定されることにより、支持部１０の剛性が上がり、撓みや変形が防止される。
【００２６】
また、角度調整部材３の支持部取付部３ｃに３個の溝３３ａ〜３３ｃが形成されていることにより、一対の第一支柱１１又は第二支柱１２の間隔を適宜変化させることができる。従って、径方向に異なる大きさを持つ様々な被加工物をより確実に保持することができる。
【００２７】
また、保持部２１の第二開口２１ｂと第二保持部調整ネジ２３とが互いに係合することにより、保持部２１は方向Ａに沿って上下に移動することができる。これにより、保持部２１を支持する支持部１０の高さが支柱及び連結部材との組み合わせで決められた上で、保持部２１の高さを方向Ａに沿ってより細かく調整することができ、より確実に被加工物を保持することができる。
さらに、保持部２１は第一保持部調整ネジ２４を中心として被加工物の上方側に回転可能であるため、保持部２１の向きを適宜変更することができ、様々な形の被加工物を保持することができる。
【符号の説明】
【００２８】
１  被加工物、５  補強部材、９ａ  載置面、１０  支持部、１１  第一支柱、１２  第一連結部材、１３  第二支柱、１４  第二連結部材、１５  第三連結部材、２１  保持部、２１ｂ  第二開口（ネジ機構）、２３  第二保持部調整ネジ（保持部位置調整部、ネジ機構）、２４  第一保持部調整ネジ（保持部位置調整部）、３０  基台（角度調整部）、３３ａ，３３ｂ，３３ｃ  溝（支持部位置調整機構）、１００  ワイヤ放電加工用治具、Ｘ１,Ｘ２,Ｘ３  円柱部材（被加工物）。
【図１】
0003198290.tif 000003
【図２】
0003198290.tif 000004
【図３】
0003198290.tif 000005
【図４】
0003198290.tif 000006
【図５】
0003198290.tif 000007
【図６】
0003198290.tif 000008
【図７】
0003198290.tif 000009
【図８】
0003198290.tif 000010